(57)【要約】      （修正有）【課題】箸を正しく保持することを容易にするとともに、充分な強度を保つことのできるヒンジ機構付きの箸を提供する。【解決手段】下側箸部材２０と、上側箸部材１０と、ヒンジ機構とを含む箸であって、ヒンジ機構は下側箸部材２０に配設されたヒンジと、上側箸部材１０のヒンジ穴１０２とを含む。ヒンジは上記ヒンジ穴１０２内に受容されることのできるヒンジヘッド１３０を含み、ヒンジ穴１０２には、内側チャンバ１３２に受容されることのできる枢軸１６４が設けられ、該枢軸１６４を中心にヒンジが回動することができるようになっている。また、上側箸部材１０にはヒンジ穴１０２が位置する膨出部１０４が設けられ、該膨出部１０４は上側箸部材１０の上面及び／又は上側箸部材１０の背面から延びる。【選択図】図４
0003204333.tif 000002
【実用新案登録請求の範囲】
【請求項１】
下側箸部材と、上側箸部材と、上記下側箸部材と上記上側箸部材とを連結するヒンジ機構と、を含む箸であって、
上記ヒンジ機構は、上記下側箸部材に配設されたヒンジと、上記上側箸部材のヒンジ穴とを含み、上記ヒンジ穴の開口は上記上側箸部材の下面に配設され、
上記ヒンジは、内側チャンバが設けられるとともに上記ヒンジ穴の上記開口を介して上記ヒンジ穴内に受容されることができるヒンジヘッドを含み、上記ヒンジ穴には、上記内側チャンバに受容されることができる枢軸が設けられ、該枢軸を中心に上記ヒンジが回動することができ、
上記上側箸部材には、上記ヒンジ穴が位置する膨出部が設けられ、該膨出部は上記上側箸部材の前面及び／又は上記上側箸部材の背面から延びている、
箸。
【請求項２】
上記膨出部は、上記上側箸部材の前面及び／又は上記上側箸部材の背面から１ｍｍを超える距離、特に２ｍｍを超える距離まで延びている、請求項１に記載の箸。
【請求項３】
箸が保持された状態において、人差し指の第３節が上記ヒンジ穴の領域内に位置するように構成されている、請求項１又は２に記載の箸。
【請求項４】
上記膨出部は、箸が保持された状態において、上記上側箸部材の前面における親指の第１節の尺骨側面と上記上側箸部材の尾部との間に位置するように構成されている、請求項１〜３のいずれか一項に記載の箸。
【請求項５】
上記膨出部は、上記上側箸部材の前面から延びるとともに、箸が保持された状態において上記膨出部が親指の尺骨側面に接触するように配設される、請求項１〜４のいずれか一項に記載の箸。
【請求項６】
上記ヒンジヘッドはＣ字形要素又は環状要素である、請求項１〜５のいずれか一項に記載の箸。
【請求項７】
上記ヒンジヘッドに形成された上記内側チャンバは上記枢軸の高さより大きい高さを有する、請求項１〜６のいずれか一項に記載の箸。
【請求項８】
上記内側チャンバは上記枢軸の高さより少なくとも１ｍｍ、特に少なくとも２ｍｍ大きい高さを有し、上記枢軸が少なくともそのような距離にわたり上下に動くことができる、請求項７に記載の箸。
【請求項９】
上記上側箸部材にはさらに、上記ヒンジ穴の前壁及び後壁の下部から延びる２つの分離した突起が設けられ、上記枢軸は上記２つの突起の間に配設される、請求項１〜８のいずれか一項に記載の箸。
【請求項１０】
上記枢軸は上記ヒンジ穴の上記前壁及び／又は上記後壁に取り付けられる、請求項１〜９のいずれか一項に記載の箸。
【請求項１１】
上記ヒンジヘッドは上記下側箸部材の上面から延びるヒンジロッドによって支持される、請求項１〜１０のいずれか一項に記載の箸。
【請求項１２】
上記ヒンジ穴の上記前壁及び後壁ならびに上記ヒンジヘッドの総厚さは、上記上側箸要素の厚さより、好ましくは少なくとも１ｍｍ、特に好ましくは少なくとも２ｍｍ大きい、請求項１〜１１のいずれか一項に記載の箸。
【請求項１３】
上記ヒンジヘッドは上記上側箸要素の上面から突出していない、請求項１〜１２のいずれか一項に記載の箸。
【請求項１４】
上記膨出部は、上記上側箸部材の背面から後方に延び、箸が保持された状態において中指の第１節と人差し指の第３節との間に位置するように構成されている、請求項１〜１３のいずれか一項に記載の箸。
【請求項１５】
上記膨出部は射出成形によって上記上側箸部材と一体的に形成されている、請求項１〜１４のいずれか一項に記載の箸。
【請求項１６】
上記ヒンジヘッドの頭部及び尾部は両方とも上記ヒンジ穴より薄い、請求項１〜１５のいずれか一項に記載の箸。
【考案の詳細な説明】
【技術分野】
【０００１】
本考案は箸に関するものであり、特に、２つの箸部材を連結するためのヒンジ機構を備えた箸に関する。
【背景技術】
【０００２】
中国人は、三千年の歴史にわたって、食事のために箸を使用してきている。図１及び図２は、棒状の上側箸部材１０及び棒状の下側箸部材２０から成る一種の従来の箸を示す。上側箸部材の頭部１８及び下側箸部材の頭部２８は、食物を掴むために使用される。２つの箸部材の尾部１９及び２９はそれぞれ頭部１８及び２８の反対側にある。上側箸部材及び下側箸部材において親指と接触する面を前面１１、２１と呼び（図１参照）、上部の面を上面１２、２２と呼び、前面と反対側の面を背面１３、２３（図２参照）と呼び、下部の面（図示せず）を下面と呼ぶ。親指における前腕の橈骨の方向に近い側面を親指の橈骨側面３３と呼び、親指における前腕の尺骨の方向に近い側を親指の尺骨側面３４と呼ぶ。正方形又は長方形以外の断面を有する箸の場合であっても、当該箸が同様に上述した面を有するものとみなしうることは容易に理解される。
【０００３】
箸が正しく保持された状態を図１に示す。箸が正しく保持されている状態では、薬指の第１節６１は下側箸部材の背部を支持し、人差し指の第３節４３の基部４８（及びその下の部分）は下側箸部材の背面に接触し、親指の第２節３２は下側箸部材の前面を押圧する。こうして下側箸部材２０は、手に対して動かないように、３つの領域を通して確実に掴まれる。対照的に、上側箸部材１０は動かすことができるようになっている。人差し指の第１節４１は中指の第１節５１とともに上側箸部材を掴んで上下に動かすことを可能にするので、上側箸部材１０は下側箸部材２０に向かって開閉することができ、食物を掴む機能が達成される。人差し指の第３節４３は上側箸部材の背部に接触する。親指の第１節３１は上側箸部材の前面を押圧する。親指の２つの節３１、３２は下側箸部材に対して動かしてはならない。
【０００４】
現在、箸をより安定的に保持するために、上側及び下側の箸部材を連結するためにヒンジ機構を備えた箸がある。一例を図３に示す。図３に示すように、特に、下側箸部材２０にはヒンジが設けられている。当該ヒンジは、下側箸部材２０から垂直に延びる柱１２１と、柱１２１の上部に位置するヒンジヘッドすなわちＣ字形要素１２２とで構成される。上側箸部材１０にはヒンジ穴９２が設けられている。当該ヒンジ穴は貫通穴であり、当該ヒンジ穴の中に枢軸（図示せず）が配設され、当該枢軸の長手軸は上側箸部材１０の長手軸と垂直である。組立状態では、上側箸部材１０の上記枢軸は、Ｃ字形要素１２２が当該枢軸を中心に回動することができるように、Ｃ字形要素１２２の内側チャンバ１２３内に受容される。このようにして、２つの箸部材は相互に連結されるが、依然として相互に対して開閉することができる。したがって、箸をより安定的に保持することができる。
【０００５】
しかし、この種の構造には２つの大きい問題がある。一方では、ヒンジ穴９２は、それ自体が薄い上側箸部材１０の前壁９１及び後壁９３の厚さを低減させる。他方では、Ｃ字形要素１２２の厚さもヒンジ穴９２の大きさによって制限されてしまうので、より大きいサイズのＣ字形要素１２２を設計することができない。上側箸部材１０の薄い壁９１、９３は薄いＣ字形要素１２２とあいまって、結果的に脆弱な構造をもたらす。
【０００６】
さらに、使用状態において、２つの箸部材はてこを形成するので、ヒンジに加わるトルクは非常に大きくなる。箸が正しく使用されていない場合には（特に子供によって）、このトルクは一層大きくなる。この場合、脆弱なヒンジは容易に破損するであろう。破損した部品は誤飲及び閉塞傷害の深刻な危険をもたらす可能性があり、子供の窒息及び死亡、ならびに子供及び成人両方の疾患につながることがある。また、破損は、子供及び成人両方の使用者の皮膚及び目等の身体を損傷する危険個所及び鋭利なエッジを生じることがある。多くの国の安全規定によって要求されるトルク試験に合格することが難しい。
【考案の概要】
【０００７】
本考案は、箸を正しく保持することを容易にするとともに、依然として充分な強度を保つことのできる、ヒンジ機構付き箸を提供することを目的とする。
【０００８】
本考案は、下側箸部材と、上側箸部材と、下側及び上側箸部材を連結するヒンジ機構とを含む箸を提供する。ヒンジ機構は、下側箸部材に配設されたヒンジと、上側箸部材におけるヒンジ穴とを含み、上記ヒンジ穴の開口は上側箸部材の下面に配設される。ヒンジは内側チャンバを備えたヒンジヘッドを含み、該ヒンジヘッドはヒンジ穴の上記開口を介して上記ヒンジ穴内に受容されることができる。上記ヒンジ穴には内側チャンバ内に受容することのできる枢軸が設けられ、該枢軸を中心にヒンジが回動することができるようになっている。また、上側箸部材には、ヒンジ穴が位置する膨出部が設けられ、該膨出部は上側箸部材の前面及び／又は上側箸部材の背面から延びる。
【０００９】
一実施形態では、膨出部は上側箸部材から１ｍｍを超える距離、特に２ｍｍを超える距離まで延びる。
【００１０】
一実施例では、ヒンジ穴は、箸が保持された状態において、人差し指の第３節がヒンジ穴の領域内に位置するように設計される。
【００１１】
別の実施例では、膨出部は、箸が保持された状態において上側箸部材の前面における親指の第１節と上側箸部材の尾部との間に位置する。さらなる実施例では、膨出部は上側箸部材の前面から延び、箸が保持された状態において親指の尺骨側面に接触するように配設される。
【００１２】
好ましくは、ヒンジヘッドはＣ字形要素又は環状要素である。加えて、ヒンジヘッドに形成された内側チャンバは、枢軸の高さより大きい高さを有する。内側チャンバは、枢軸の高さより好ましくは少なくとも１ｍｍ、特に好ましくは少なくとも２ｍｍ大きい高さを有するので、枢軸は少なくともそのような距離だけ上下に移動することができる。
【００１３】
別の実施例では、上側箸部材にはさらに、ヒンジ穴の前壁及び後壁の下部から延びる２つの分離した突起が設けられ、枢軸は２つの突起の間に配設される。
【００１４】
さらなる実施例では、枢軸はヒンジ穴の前壁及び／又は後壁に取り付けられる。
【００１５】
さらなる実施例では、ヒンジヘッドは、下側箸部材の上面から延びるヒンジロッドによって支持される。
【００１６】
好ましくは、ヒンジ穴の前壁及び後壁とヒンジヘッドとの総厚さは、上側箸要素の厚さより大きい。
【００１７】
さらなる実施例では、ヒンジヘッドは上側箸要素の上面から突出しない。
【００１８】
さらなる実施例では、膨出部は上側箸部材の背面から後方に延び、箸が保持された状態において中指の第１節と人差し指の第３節との間に位置する。
【００１９】
別の実施例では、膨出部は射出成形によって上側箸部材と一体的に形成される。好ましくは、ヒンジヘッドの頭部及び尾部は両方ともヒンジ穴より薄い。
【００２０】
本考案によれば、箸が保持された状態において、薬指の第１節は下側箸部材の背部を支持し、人差し指の第３節の基部及びそれより下の部分は下側箸部材の背面に接触し、親指の第２節は下側箸部材の前面を押圧し、人差し指の第３節は上側箸部材の背面に接触し、人差し指の第１節は中指の第１節と共に上側箸部材を掴み、親指の第１節は上側箸部材の前面を押圧する。
【００２１】
本考案によれば、上側箸部材には、ヒンジ穴が位置する膨出部が設けられる。したがって、上側箸部材の厚さは増大されるので、上側箸部材により大きいヒンジ穴を形成することができる。換言すると、ヒンジ穴の厚さを増大することができる。又、ヒンジ穴を大きくすることができるので、下側箸部材のヒンジヘッドはより大きいサイズを有することができる。それゆえ、箸の全体的な強度が著しく増大し、ヒンジが破損する危険性は低減される。したがって、製品の安全性のために、特に子供に有益である。また、多くの国の安全規定によって要求されるトルク試験に合格することが容易になる。
【００２２】
本考案の実施形態は、添付の図を参照することによって理解をさらに深めることができる。これらの図は、単に本考案を簡便に例証するために提供するだけであり、本考案が図に示す特定の構造及び構成に限定されないことは理解される。
【図面の簡単な説明】
【００２３】
【図１】箸が正しく保持された姿勢の前側を示す。
【図２】箸が正しく保持された姿勢の後側を示す。
【図３】上側及び下側の箸部材を連結するためのヒンジを備えた従来の箸を示す。
【図４】下側箸部材にヒンジが設けられ、かつ上側箸部材にヒンジを受容するためのヒンジ穴を含む膨出部が設けられた、本考案の実施形態に係る箸を示す。
【図５】図４の膨出部を詳細に示す上面図である。
【図６】膨出部の様々な部分の大きさを模式的に示す。
【図７】図４の膨出部の変形例を示す。
【図８】図４の膨出部の別の変形例を示す。
【図９】ヒンジ穴の枢軸に取り付けられたＣ字形要素の上面図である。
【図１０】増大した内側チャンバを持つＣ字形要素の構造を示す。
【図１１】膨出部に加えて上側箸部材の下面に配設された突起を示す。
【図１２】膨出部に加えて上側箸部材の下面に配設された突起を示す。
【図１３】膨出部に加えて上側箸部材の下面に配設された突起を示す。
【図１４】膨出部に加えて上側箸部材の下面に配設された突起を示す。
【図１５】ヒンジ穴内に配設された、あるタイプの枢軸を示す。
【図１６】ヒンジ穴内に配設された、別のタイプの枢軸を示す。
【図１７】ヒンジ穴内に配設された、さらに別のタイプの枢軸を示す。
【図１８】本考案に係るヒンジ機構の環状要素を示す。
【図１９】箸が保持された状態において膨出部が中指の第１節と人差し指の第３節との間に位置する構造を示す。
【図２０】ヒンジ穴の位置の特定の実施例を示す。
【考案を実施するための形態】
【００２４】
以下で、本考案について図を参照して詳細に説明する。以下で、用語「箸が保持された状態」は、本開示の背景技術の節で述べた状態と定義されることに留意されたい。箸の上側箸要素、下側箸要素、前面、背面、上面、下面、頭部、及び尾部、並びに手の位置の定義も又、背景技術の節で述べた通りと定義される。
【００２５】
図４は、本考案に係るヒンジ機構を備えた箸の実施形態を示し、ここで上側箸部材は切欠き状態で示される。この実施形態では、箸は上側箸部材１０及び下側箸部材２０を含む。下側箸部材２０には、下側箸部材２０の上面から垂直に延びる連結要素１３１と、連結要素１３１の上部に位置するヒンジヘッドとから成る、ヒンジが設けられる。この実施例では、ヒンジヘッドはＣ字形要素１３０として実現される。図示する連結要素１３１はロッドの形を取っているが、Ｃ字形要素１３０と下側箸部材２０とを連結することができるなら、他の形であってよい。Ｃ字形要素１３０は開口を持つ内側チャンバ１３２を画定する。
【００２６】
上側箸部材１０には、上側箸部材１０の前面から前方に延びる膨出部１０４が設けられる。膨出部１０４の領域に、上側箸部材１０は、上側箸部材１０の下面に配設された開口を有するヒンジ穴１０２を含み、開口を通してヒンジ穴１０２にヒンジヘッド１３０を受容することができる。さらに詳しくは、Ｃ字形要素１３０を枢軸１６４に掛合することができるように、ヒンジ穴１０２の前壁１０１と後壁１０３との間に枢軸１６４が配設される。すなわち、枢軸１６４はＣ字形要素１３０の内側チャンバ１３２内に受容され、こうしてＣ字形要素１３０は枢軸１６４を中心に回動することができる。
【００２７】
この実施形態では、枢軸１６４及びＣ字形要素１３０は、組み立てられた状態にあるときに、ヒンジ穴１０２の内側に位置する。この構造は結果的に幾つかの利点をもたらす。一方では、不格好な場合があるヒンジヘッド１３０がヒンジ穴１０２の前壁１０１によって覆われるので、箸の外観が優れている。他方では、ヒンジヘッド１３０は上側箸要素１０の上部から長い距離まで突出する必要が無いので、人差し指の動きを妨害せず、かつ人差し指に不快な触感を与える機会が低減される。特定の実施例では、ヒンジヘッドの上部は上側箸要素の上面から突出しない。
【００２８】
図５は、箸が保持された状態における図４の上側箸部材１０の上面図であり、図中、親指の第１節３１及び人差し指び第３節４３は、ハッチングされた円により模式的に示される。膨出部１０４は上側箸部材の前面１１から前方に長さ２０４だけ突出する。この長さ２０４は、好ましくは１ｍｍより長く、特に好ましくは２ｍｍより長い。
【００２９】
この膨出部１０４により、前壁１０１の厚さ、後壁１０３の厚さ、及びヒンジ穴１０２の厚さは増大する。また、ヒンジ穴をより大きくすることができるので、ヒンジヘッド１３０はより大きいサイズを有することができる。したがって、箸の全体強度が著しく増大し、ヒンジ又は上側箸要素が破損する危険性が低減される。したがって、特に子供にとっての製品の安全性のために有益である。また、多くの国の安全規則によって要求されるトルク試験に合格することが容易になる。
【００３０】
例えば、そのような膨出部が存在しない場合、子供用の箸は６ｍｍと薄い場合がある。ヒンジ穴１０２が例えば２ｍｍの厚さであり、前壁１０１及び後壁１０３が共に２ｍｍである場合、Ｃ字形要素（すなわちヒンジヘッド）は最大でも２ｍｍの厚さを有することができるだけである。そのような薄いバージョンの壁及びＣ字形要素は破損し易い。
【００３１】
他方、６ｍｍの厚さを持つ膨出部が設けられた（すなわち長さ２０４が６ｍｍである）場合、上側箸部材１０は分厚くなって１２ｍｍになる。したがって、ヒンジ穴、２つの壁、及びＣ字形要素は２ｍｍから４ｍｍの範囲の厚さを有することができる。この分厚いバージョンのＣ字形要素（すなわちヒンジヘッド）及び２つの壁はより丈夫になり、破損する可能性が低下する。成人用バージョンのサイズは比例して増大することができる。
【００３２】
図６は、一実施形態の様々な部分の大きさを示す。５０１、５０３、及び５３０によって表される厚さはそれぞれ前壁１０１、後壁１０３、及びＣ字形要素の厚さである。厚さ５１０は上側箸部材１０の厚さである。任意選択的に、厚さ５０１、５０３、及び５３０の合計は、好ましくは少なくとも１ｍｍ、特に好ましくは少なくとも２ｍｍ、厚さ５１０より大きい。
【００３３】
好ましくは、この膨出部１０４は、箸が保持された状態において、親指の第１節３１の尺骨側面３４と上側箸部材１０の尾部１９との間に位置するように構成される（図５参照）。この場合、膨出部１０４は、親指に影響を及ぼすことなく、任意の長さだけ突出することができる。
【００３４】
代替的に、又は追加的に、図２０に示すように、箸が保持された状態において、人差し指の第３節４３はヒンジ穴の領域２２０内に配置される。そのような配置により、上側箸部材を上下に動かすときに、上側箸部材１０を快適な位置に保持することができる。これは、箸が保持された状態において人差し指の第３節４３及び親指の第１節３１が一緒に自然なヒンジを形成し、人差し指の第１節４１及び中指の第１節５１が上側箸部材１０の頭部１８を上下に動かすからである（背景技術の部分における箸が保持された状態の説明を参照されたい）。ヒンジ穴１０２が他の位置、例えば上側箸部材１０の尾部１９に配置されると、上側箸部材１０の回動の中心がこの位置（それは親指と人差し指との間の自然ヒンジの位置ではない）に位置することになってしまい、したがって上側箸部材の不快な感覚を引き起こす。
【００３５】
任意選択的に、膨出部１０４は、箸保持状態で（図５参照）膨出部１０４の頭部１０８が親指の尺骨側面３４に接触し、したがって親指の第１節３１が上側箸部材の尾部１９に向かって動くことを阻止するように設計することができる。このようにして、親指の第１節３１は上側箸部材の尾部１９に近づきすぎることができず、そのため箸を正しく保持することが容易になる。
【００３６】
図７及び図８は、図５の膨出部の２つの変形例をそれぞれ示す。図７に示す実施例では、膨出部１０５は、上側箸部材１０の背面１３から距離２０５まで後方に延びる。この膨出部１０５は上側箸部材１０の厚さを大きくして箸の全体強度を高めるように機能することもできる。距離２０５は好ましくは１ｍｍより大きく、特に好ましくは２ｍｍより大きい。さらに、図８に示す実施例では、上側箸部材１０には膨出部１０４及び膨出部１０５の両方が同時に設けられる。このようにして、箸の全体強度がさらに高められる。好ましくは、膨出１０４及び／又は１０５は、強度を高めるために、射出成形によって上側箸要素と共に単一体として形成される。
【００３７】
図１９は、箸が保持された状態において、膨出部１０５が中指の第１節５１と人差し指の第３節４３との間に位置する、任意の実施例を示す。そのような場合、膨出部が人差し指の第３節４３の位置を変化させることはない。
【００３８】
国際特許公開第２０１１／０１５０３３Ａ１号パンフレットに開示された箸では、Ｃ字形要素の内径は枢軸の外形より大きいので、使用者の手の筋肉の協調を訓練するために、上側箸部材は側方に回ることができる。そのような構成は任意選択的に本考案に適用することができる。図９に示す実施例では、Ｃ字形要素（すなわちヒンジヘッド）の頭部４３１及び尾部４３２はヒンジ穴１０２より薄いので、上側箸部材１０は側方に回ることができ、したがって下側箸部材２０に対して角度４０２を形成することができる。ヒンジヘッドの用語「頭部／尾部」は、これらの端部が箸の頭部／尾部とそれぞれ同じ方向にあることを意味する。膨出部１０４及び／又は１０５により、Ｃ字形要素４３０の中央部４３３は、破損を防止するために分厚くすることができる。そのようにしない場合には、Ｃ字形要素４３０は特に頭部４３１及び尾部４３２の領域がより破損し易くなる。任意選択的に、ヒンジ穴は、側方回動の角度をさらに大きくするために、Ｃ字形要素４３０の中央部より広くすることができる。
【００３９】
以下で、本考案に係る膨出部と協働することのできるヒンジ機構の構造の幾つかの実施形態について説明する
【００４０】
図１０は上側箸部材１０の切欠き図を示す。この実施例では、Ｃ字形要素１３０の内側チャンバ１５４の高さ３０１は枢軸１６４の高さ３０２より大きいので、枢軸１６４は内側チャンバ１５４内で上下に動くことができる。したがって、上側箸部材１０と下側箸部材２０との間の距離を様々な手の大きさに適合するように調整することができ、使用者は、枢軸の固定位置に頼って正しい位置を維持するのではなく、上側箸部材１０を正しい位置に維持するために手の筋肉を協調させなければならない。したがって、使用者はより良好に訓練することができる。上述した膨出部１０４と共に、この実施例のヒンジ機構は柔軟に設計することができる。好ましい実施形態では、Ｃ字形要素１３０の内側チャンバ１５４の高さ３０１は、枢軸１６４の高さ３０２より少なくとも１ｍｍ大きいので、枢軸１６４は、一般的な製造公差より遥かに大きい、少なくとも１ｍｍの遊びを持たせて、内側チャンバ１５４内で上下に動くことができる。別の可能な実施としては、Ｃ字形要素１３０の内側チャンバ１５４の高さ３０１が枢軸１６４の高さ３０２より少なくとも２ｍｍ大きいので、枢軸１６４が、少なくとも２ｍｍの遊びを持たせて内側チャンバ１５４内で上下に動くことができる。明らかに、この構成もまた、上側箸要素の背面から突出する膨出部１０５を備えた上側箸要素に適用することができる（図７及び図８参照）。
【００４１】
箸の前後方向に沿って延びる膨出部に加えて、上側箸部材１０の下面から下方に延びる１つ以上の突起も可能である。図１１はそのような実施例を示しており、この場合、上側箸部材１０には、それぞれ前壁１０１の下面及び後壁１０３の下面から下方に延びる２つの分離した突起１９１及び１９３が設けられ、枢軸１７２は２つの突起の間に位置する。図１２は、図１１の構造の長手方向に沿った断面図を示す。図１３は、図１１の構造及びＣ字形要素１３０の組立られた状態の切欠き図を示す。
【００４２】
図１４は図１３の変形例である。この場合、Ｃ字形要素１３０の内側チャンバ１５４の高さは枢軸１７２の高さより好ましくは少なくとも１ｍｍ、特に好ましくは２ｍｍ大きいので、上側箸要素はそのような距離にわたり上下に動くことができる。枢軸１７２及びこのような上側箸部材１０は、かなりの範囲で上下に動くことができる。この構造の利点の１つは、ヒンジヘッド１３０が上側箸要素の上部から長い距離まで突出する必要がなく、それでも枢軸はそのようなかなりの範囲で上下に動くことができることである。使用者は手の筋肉を協調させることも必要となる。特定の場合、ヒンジヘッド１３０は上側箸要素の上部から突出しない。
【００４３】
図１５ないし図１７は枢軸の３つの実施例を示す。図１５に示すように、枢軸１６２は膨出部１０４の前壁１０１のみに配置される。図１６は、膨出部１０４の後壁１０３のみに配置された枢軸１６３を示す。図１７に示す実施例では、枢軸１６４は前壁１０１を後壁１０３と連結することができる。
【００４４】
任意選択的に、ヒンジヘッドはＣ字形要素の他に、例えば図１８に示すように環状要素として形成することができる。環状要素は従来の方法で製造することができることを、当業者は理解することができる。
【００４５】
本明細書に添付した図面は右利き用の箸を示すが、本考案は左利き用の箸にも適用することができる。
【００４６】
以上、本考案の一部の好ましい実施例について詳述した。本考案が上述した実施例に限定されないことは理解することができる。それどころか、当業者は、本考案の説明を読んだ後に修正、変更、又は省略を施すことができ、それらは確実に本考案の範囲内に含まれるものである。
【図１】
0003204333.tif 000003
【図２】
0003204333.tif 000004
【図３】
0003204333.tif 000005
【図４】
0003204333.tif 000006
【図５】
0003204333.tif 000007
【図６】
0003204333.tif 000008
【図７】
0003204333.tif 000009
【図８】
0003204333.tif 000010
【図９】
0003204333.tif 000011
【図１０】
0003204333.tif 000012
【図１１】
0003204333.tif 000013
【図１２】
0003204333.tif 000014
【図１３】
0003204333.tif 000015
【図１４】
0003204333.tif 000016
【図１５】
0003204333.tif 000017
【図１６】
0003204333.tif 000018
【図１７】
0003204333.tif 000019
【図１８】
0003204333.tif 000020
【図１９】
0003204333.tif 000021
【図２０】
0003204333.tif 000022
【手続補正書】
【提出日】平成27年12月25日(2015.12.25)
【手続補正１】
【補正対象書類名】実用新案登録請求の範囲
【補正対象項目名】全文
【補正方法】変更
【補正の内容】
【実用新案登録請求の範囲】
【請求項１】
下側箸部材と、上側箸部材と、上記下側箸部材と上記上側箸部材とを連結するヒンジ機構と、を含む箸であって、
上記ヒンジ機構は、上記下側箸部材に配設されたヒンジと、上記上側箸部材のヒンジ穴とを含み、上記ヒンジ穴の開口は上記上側箸部材の下面に配設され、
上記ヒンジは、内側チャンバが設けられるとともに上記ヒンジ穴の上記開口を介して上記ヒンジ穴内に受容されることができるヒンジヘッドを含み、上記ヒンジ穴には、上記内側チャンバに受容されることができる枢軸が設けられ、該枢軸を中心に上記ヒンジが回動することができ、
上記上側箸部材には、上記ヒンジ穴が位置する膨出部が設けられ、該膨出部は上記上側箸部材の前面及び／又は上記上側箸部材の背面から延びている、
箸。
【請求項２】
上記膨出部は、上記上側箸部材の前面及び／又は上記上側箸部材の背面から１ｍｍを超える距離まで延びている、請求項１に記載の箸。
【請求項３】
上記膨出部は、上記上側箸部材の前面及び／又は上記上側箸部材の背面から２ｍｍを超える距離まで延びている、請求項１に記載の箸。
【請求項４】
箸が保持された状態において、人差し指の第３節が上記ヒンジ穴の領域内に位置するように構成されている、請求項１〜３のいずれか一項に記載の箸。
【請求項５】
上記膨出部は、箸が保持された状態において、上記上側箸部材の前面における親指の第１節の尺骨側面と上記上側箸部材の尾部との間に位置するように構成されている、請求項１〜４のいずれか一項に記載の箸。
【請求項６】
上記膨出部は、上記上側箸部材の前面から延びるとともに、箸が保持された状態において上記膨出部が親指の尺骨側面に接触するように配設される、請求項１〜５のいずれか一項に記載の箸。
【請求項７】
上記ヒンジヘッドはＣ字形要素又は環状要素である、請求項１〜６のいずれか一項に記載の箸。
【請求項８】
上記ヒンジヘッドに形成された上記内側チャンバは上記枢軸の高さより大きい高さを有する、請求項１〜７のいずれか一項に記載の箸。
【請求項９】
上記内側チャンバは上記枢軸の高さより少なくとも１ｍｍ大きい高さを有し、上記枢軸が少なくともそのような距離にわたり上下に動くことができる、請求項８に記載の箸。
【請求項１０】
上記内側チャンバは上記枢軸の高さより少なくとも２ｍｍ大きい高さを有し、上記枢軸が少なくともそのような距離にわたり上下に動くことができる、請求項８に記載の箸。
【請求項１１】
上記上側箸部材にはさらに、上記ヒンジ穴の前壁及び後壁の下部から延びる２つの分離した突起が設けられ、上記枢軸は上記２つの突起の間に配設される、請求項１〜１０のいずれか一項に記載の箸。
【請求項１２】
上記枢軸は上記ヒンジ穴の上記前壁及び／又は上記後壁に取り付けられる、請求項１〜１１のいずれか一項に記載の箸。
【請求項１３】
上記ヒンジヘッドは上記下側箸部材の上面から延びるヒンジロッドによって支持される、請求項１〜１２のいずれか一項に記載の箸。
【請求項１４】
上記ヒンジ穴の上記前壁及び後壁ならびに上記ヒンジヘッドの総厚さは、上記上側箸部材の厚さより大きい、請求項１〜１３のいずれか一項に記載の箸。
【請求項１５】
上記ヒンジ穴の上記前壁及び後壁ならびに上記ヒンジヘッドの総厚さは、上記上側箸部材の厚さより、少なくとも１ｍｍ大きい、請求項１４に記載の箸。
【請求項１６】
上記ヒンジ穴の上記前壁及び後壁ならびに上記ヒンジヘッドの総厚さは、上記上側箸部材の厚さより、少なくとも２ｍｍ大きい、請求項１４に記載の箸。
【請求項１７】
上記ヒンジヘッドは上記上側箸部材の上面から突出していない、請求項１〜１６のいずれか一項に記載の箸。
【請求項１８】
上記膨出部は、上記上側箸部材の背面から後方に延び、箸が保持された状態において中指の第１節と人差し指の第３節との間に位置するように構成されている、請求項１〜１７のいずれか一項に記載の箸。
【請求項１９】
上記膨出部は上記上側箸部材と一体的に形成されている、請求項１〜１８のいずれか一項に記載の箸。
【請求項２０】
上記ヒンジヘッドの頭部及び尾部は両方とも上記ヒンジ穴より薄い、請求項１〜１９のいずれか一項に記載の箸。